(57)【特許請求の範囲】
【請求項１】
上流からの排水が流入する流入管に接続される管状の流入管接続部材と、
前記排水を下流へと流出させる流出管に接続される管状の流出管接続部材と、
前記流入管接続部材及び前記流出管接続部材とともに前記排水を貯留する貯留空間を形成し、軸方向の一端が前記流入管接続部材に連結され軸方向の他端が前記流出管接続部材に連結された管状の貯留部材と、
を備え、
前記流入管接続部材及び前記流出管接続部材は、前記貯留部材との連結部分において、前記流入管接続部材、前記流出管接続部材及び前記貯留部材のそれぞれの中心軸が同軸となるように、前記貯留部材と連結され、
前記貯留部材に対する前記流入管接続部材及び前記流出管接続部材の少なくともどちらか一方の連結位置を変えることにより、前記流入管接続部材と前記流出管接続部材との相対位置が変わり、前記貯留空間の容量が可変とされている貯留槽。
【請求項２】
上流からの排水が流入する流入管に接続される管状の流入管接続部材と、
前記排水を下流へと流出させる流出管に接続される管状の流出管接続部材と、
前記流入管接続部材及び前記流出管接続部材とともに前記排水を貯留する貯留空間を形成し、前記流入管接続部材又は前記流出管接続部材が軸方向の一端に一体形成され、別体の前記流入管接続部材又は前記流出管接続部材が軸方向の他端に連結された管状の貯留部材と、
を備え、
一体形成された前記流入管接続部材又は前記流出管接続部材、及び、前記別体の前記流入管接続部材又は前記流出管接続部材は、前記貯留部材との連結部分において、それぞれの中心軸と前記貯留部材の中心軸とが同軸となるように、前記貯留部材と連結され、
前記貯留部材に対する前記流入管接続部材及び前記流出管接続部材の少なくともどちらか一方の連結位置を変えることにより、前記流入管接続部材と前記流出管接続部材との相対位置が変わり、前記貯留空間の容量が可変とされている貯留槽。
【請求項３】
前記貯留部材を伸縮させることにより、前記貯留空間の容量が可変とされている、請求項１又は２に記載の貯留槽。
【請求項４】
前記貯留部材は前記排水の流れる方向に対して並列に複数設けられており、
複数の前記貯留部材の前記貯留空間は、それぞれ連通孔によって連通されている、請求項１〜３のいずれか１項に記載の貯留槽。
【請求項５】
前記連通孔同士を連通する管状の連通部材を備える、請求項４に記載の貯留槽。
【発明の詳細な説明】
【技術分野】
【０００１】
本発明は、特にサイホン排水システムに用いられる貯留槽に関する。
【背景技術】
【０００２】
例えば特許文献１に示すように、サイホン力を利用した排水システムにおいて、水廻り器具と横引き管との間にチャンバーを設け、水廻り器具からの排水をサイホンの開始時間までチャンバーに一時的に貯留する構成が知られている。
【先行技術文献】
【特許文献】
【０００３】
【特許文献１】特開２００６−３３６３２２号公報
【発明の概要】
【発明が解決しようとする課題】
【０００４】
チャンバーを設置する建物の構造、及び接続する水廻り器具によって必要とされるチャンバーの容量は異なるが、特許文献１に示す排水システムでは、建物の構造及び水廻り器具に応じてチャンバーの容量を調整することは困難であった。
【０００５】
本発明は、上記事実に鑑み、貯留空間の容量を調整することのできる貯留槽を提供することを目的とする。
【課題を解決するための手段】
【０００６】
請求項１に記載の貯留槽は、上流からの排水が流入する流入管に接続される管状の流入管接続部材と、前記排水を下流へと流出させる流出管に接続される管状の流出管接続部材と、前記流入管接続部材及び前記流出管接続部材とともに前記排水を貯留する貯留空間を形成し、軸方向の一端が前記流入管接続部材に連結され軸方向の他端が前記流出管接続部材に連結された管状の貯留部材と、を備え、前記流入管接続部材及び前記流出管接続部材は、前記貯留部材との連結部分において、前記流入管接続部材、前記流出管接続部材及び前記貯留部材のそれぞれの中心軸が同軸となるように、前記貯留部材と連結され、前記貯留部材に対する前記流入管接続部材及び前記流出管接続部材の少なくともどちらか一方の連結位置を変えることにより、前記流入管接続部材と前記流出管接続部材との相対位置が変わり、前記貯留空間の容量が可変とされている。
【０００７】
上記構成によれば、流入管接続部材、流出管接続部材、及び流入管接続部材と流出管接続部材に連結された貯留部材、の少なくとも３つの部材によって貯留空間が形成されている。このため、例えば１つの部材を容量の異なるものに交換することによって貯留空間の容量を変えることができ、貯留槽全体を交換する場合と比べて貯留空間の容量を容易に調整することができる。また、上記構成によれば、貯留部材に対する流入管接続部材、流出管接続部材の連結位置を変えることにより、流入管接続部材及び流出管接続部材の相対位置を変えて貯留空間の容量を変えることができる。
【０００８】
請求項２に記載の貯留槽は、上流からの排水が流入する流入管に接続される管状の流入管接続部材と、前記排水を下流へと流出させる流出管に接続される管状の流出管接続部材と、前記流入管接続部材及び前記流出管接続部材とともに前記排水を貯留する貯留空間を形成し、前記流入管接続部材又は前記流出管接続部材が軸方向の一端に一体形成され、別体の前記流入管接続部材又は前記流出管接続部材が軸方向の他端に連結された管状の貯留部材と、を備え、一体形成された前記流入管接続部材又は前記流出管接続部材、及び、前記別体の前記流入管接続部材又は前記流出管接続部材は、前記貯留部材との連結部分において、それぞれの中心軸と前記貯留部材の中心軸とが同軸となるように、前記貯留部材と連結され、前記貯留部材に対する前記流入管接続部材及び前記流出管接続部材の少なくともどちらか一方の連結位置を変えることにより、前記流入管接続部材と前記流出管接続部材との相対位置が変わり、前記貯留空間の容量が可変とされている。
【０００９】
上記構成によれば、流入管接続部材、流出管接続部材、及び貯留部材によって貯留空間が形成されており、流入管接続部材又は流出管接続部材の一方が貯留部材と一体形成され、他方が貯留部材と連結されている。このため、例えば一体形成されている貯留部材と流入管接続部材のみ、又は貯留部材と流出管接続部材のみを容量の異なるものに交換する、又は長さを変えることによって、貯留空間の容量を変えることができ、貯留槽全体を交換する場合と比べて貯留空間の容量を容易に調整することができる。また、上記構成によれば、貯留部材に対する流入管接続部材、流出管接続部材の連結位置を変えることにより、流入管接続部材及び流出管接続部材の相対位置を変えて貯留空間の容量を変えることができる。
【００１４】
請求項３に記載の貯留槽は、請求項１又は２に記載の貯留槽において、前記貯留部材を伸縮させることにより、前記貯留空間の容量が可変とされている。
【００１５】
上記構成によれば、貯留部材自体を伸縮させることにより、流入管接続部材及び流出管接続部材の相対位置を変えて貯留空間の容量を変えることができる。
【００１６】
請求項４に記載の貯留槽は、請求項１〜３のいずれか１項に記載の貯留槽において、前記貯留部材は前記排水の流れる方向に対して並列に複数設けられており、複数の前記貯留部材の前記貯留空間は、それぞれ連通孔によって連通されている。
【００１７】
上記構成によれば、連通孔によってそれぞれ連通された複数の貯留空間を備えている。このため、連通孔によって排水を他の貯留空間に流出させることができ、貯留可能な水量を他の貯留部材によって補うことができる。
【００１８】
請求項５に記載の貯留槽は、請求項４に記載の貯留槽において、前記連通孔同士を連通する管状の連通部材を備える。
【００１９】
上記構成によれば、連通孔同士は管状の連通部材によって連通されている。このため、連通管によって排水を他の貯留空間に流出させることができ、他の貯留空間から流出管を通して排水を流出させることができる。
【発明の効果】
【００２０】
本発明によれば、貯留空間の容量を調整することのできる貯留槽を提供することができる。
【図面の簡単な説明】
【００２１】
【図１】（Ａ）は本発明の第１実施形態に係る貯留槽を示す斜視図であり、（Ｂ）は貯留空間を広げた状態を示す（Ａ）の正面方向断面図であり、（Ｃ）は貯留空間を狭めた状態を示す（Ａ）の正面方向断面図である。
【図２】（Ａ）は本発明の第２実施形態に係る貯留槽を示す斜視図であり、（Ｂ）はその正面方向断面図である。
【図３】（Ａ）は本発明の第３実施形態に係る貯留槽を示す斜視図であり、（Ｂ）はその正面方向断面図である。
【発明を実施するための形態】
【００２２】
（第１実施形態）
本発明の第１実施形態に係る貯留槽１０について、図１を用いて説明する。
【００２３】
図１に示すように、貯留槽１０は、複数の貯留部材１２と、貯留部材１２の一端にそれぞれ連結された流入管接続部材１４と、貯留部材１２の他端にそれぞれ連結された流出管接続部材１６と、を備えており、貯留部材１２、流入管接続部材１４、及び流出管接続部材１６によって、排水を貯留する貯留空間２０が形成されている。
【００２４】
貯留部材１２は、塩化ビニル樹脂から成る断面が円形状の管状部材である。本実施形態の貯留槽１０では、図１（Ａ）に示すように、同一形状の３本の貯留部材１２が並列配置されている。なお、貯留部材１２は、軸心が上流から下流に向かって下向きに傾斜するよう配置されている。
【００２５】
流入管接続部材１４は、貯留部材１２より径が大きい円管状部材であり、長手方向一端が貯留部材１２の一端に嵌合されて連結されている。図１（Ｂ）、図１（Ｃ）に示すように、流入管接続部材１４の貯留部材１２への嵌合深さを調整することによって、流入管接続部材１４と貯留部材１２との連結位置が調整可能とされており、流入管接続部材１４と貯留部材１２との連結位置を変えることにより貯留空間２０の大きさが可変とされている。
【００２６】
流入管接続部材１４の長手方向他端の端面の下側部分には、流入管接続部材１４の端面より径が小さい流入管接続口１４Ａが形成されている。また、流入管接続口１４Ａには、流入管２２が接続されており、流入管２２を通して図示しない上流の水廻り器具等からの排水が貯留空間２０に流入する。
【００２７】
流入管接続口１４Ａの上方の流入管接続部材１４の端面の上側部分には、流入管接続口１４Ａより径が小さい連通孔１８が形成されている。また、連通孔１８には、塩化ビニル樹脂から成る連通管（連通部材）２６が接続されている。
【００２８】
連通管２６は流入管接続部材１４の端面に沿って水平方向に延びるよう配置されており、並列する３つの流入管接続部材１４の連通孔１８が連通管２６によってそれぞれ連通されている。貯留空間２０の排水の水位が連通孔１８の高さまで上昇すると、連通孔１８及び連通管２６を通して隣接する他の貯留空間２０へと排水が流出する。
【００２９】
また、連通管２６の外周面には、連通管２６より径が小さい通気口２８が形成されており、通気口２８の中心は、連通管２６の中心より上方に位置している。さらに、通気口２８には通気管３０が連結されており、連通管２６及び通気管３０を通して貯留空間２０の空気を外部へ逃がすことができる。なお、通気管３０は貯留部材１２の長手方向に沿って延びるよう配置されており、通気管３０の先端部は図示しない下流の竪管に接続されている。
【００３０】
流出管接続部材１６は、貯留部材１２より径が大きい円管状部材であり、長手方向一端が貯留部材１２の他端に嵌合されて連結されている。図１（Ｂ）、図１（Ｃ）に示すように、流出管接続部材１６の貯留部材１２への嵌合深さを調整することによって、流出管接続部材１６と貯留部材１２との連結位置が調整可能とされており、流出管接続部材１６と貯留部材１２との連結位置を変えることにより貯留空間２０の大きさが可変とされている。
【００３１】
流出管接続部材１６の長手方向他端の端面の下側部分には、流出管接続部材１６の端面より径が小さい流出管接続口１６Ａが形成されている。なお、流出管接続部材１６の端面の上側部分は、長手方向外側に突出する湾曲面とされている。
【００３２】
また、流出管接続口１６Ａには流出管２４が連結されており、流出管２４の下流には合流継手が連結されている。貯留空間２０の排水が流出管接続口１６Ａ及び流出管２４を通して下流へ流出され、落差をもって満流の状態で排水されることで、上流側の排水を引き込む力であるサイホン力が発生する。
【００３３】
本実施形態によると、流入管接続部材１４、流出管接続部材１６、及び貯留部材１２の３つの部材によって貯留空間２０が形成されている。このため、例えば貯留部材１２を長さの異なるものに交換する等、部材を自由に組み合わせることができるため、必要とされる貯留空間２０の容量に応じて貯留空間２０の容量を変えることができる。
【００３４】
また、貯留部材１２に対する流入管接続部材１４及び流出管接続部材１６の連結位置が調整可能とされているため、流入管接続部材１４と流出管接続部材１６の連結位置を変えることによって相対位置を変え、部材自体を交換することなく貯留空間２０の容量を変えることができる。このため、貯留槽１０全体を交換する場合と比べて貯留空間２０の容量を容易に調整することができる。
【００３５】
また、３つの貯留空間２０が連通孔１８、及び連通孔１８に接続された連通管２６によってそれぞれ連通されている。このため、連通孔１８及び連通管２６によって、貯留空間２０から隣接する他の貯留空間２０へと排水を流出させることができ、貯留可能な水量を他の貯留部材１２によって補うことができる。
【００３６】
なお、流出管接続部材１６の端面の下側部分に流出管接続口１６Ａが形成され、上側部分が湾曲面とされている。このため、流出管接続部材１６の上側部分の排水を湾曲面部分で分流させて循環させることにより、流入管接続口１４Ａから流出管接続口１６Ａへ向かう排水の流れが流出管接続口１６Ａから流出されずに流入管接続口１４Ａ側へと向かう排水によって妨げられることを抑制することができ、効率よく流出管接続口１６Ａから排水を流出させることができる。
【００３７】
また、貯留部材１２の一端に連結された流入管接続部材１４に流入管接続口１４Ａ、連通孔１８が形成され、貯留部材１２の他端に連結された流出管接続部材１６に流出管接続口１６Ａが形成されている。さらに、貯留部材１２の軸心が、上流から下流に向かって下向きに傾斜するよう配置されている。
【００３８】
このため、流入管接続口１４Ａから流出管接続口１６Ａへと排水を効率よく流下させることができるとともに、下流側の排水が連通孔１８から貯留部材１２外に流出する虞が少ない。したがって、流出管接続口１６Ａが設けられている下流側の水位を効率よく上昇させることができ、サイホンの起動を早めることができる。また、貯留部材１２内に水が残留することを抑制することができる。
【００３９】
（第２実施形態）
次に、本発明の第２実施形態に係る貯留槽４０について、図２を用いて説明する。なお、第１実施形態と同様の構成については、同じ符号を付して説明を省略する。
【００４０】
図２に示すように、貯留槽４０は、第１実施形態の貯留槽１０と同様に、複数の貯留部材４２、流入管接続部材４４、及び流出管接続部材４６を備えており、貯留部材４２、流入管接続部材４４、及び流出管接続部材４６によって、貯留空間５０が形成されている。
【００４１】
また、第２実施形態の貯留槽４０では、貯留部材４２と流入管接続部材４４とが一体形成されており、流出管接続部材４６は別体とされて貯留部材４２の一端に嵌合されて連結されている。なお、流出管接続部材４６は、貯留部材４２への嵌合深さを調整することによって貯留部材４２との連結位置が調整可能とされており、流出管接続部材４６と貯留部材４２との連結位置を変えることにより貯留空間５０の大きさが可変とされている。
【００４２】
本実施形態によると、貯留部材４２に対する流出管接続部材４６の連結位置が調整可能とされている。このため、流出管接続部材４６の連結位置を変えることによって、流入管接続部材４４と流出管接続部材４６の相対位置を変え、部材自体を交換することなく貯留空間５０の容量を変えることができる。
【００４３】
また、流入管接続部材４４及び貯留部材４２が一体形成され、流出管接続部材４６は貯留部材４２と別体とされている。このため、流入管接続部材４４及び貯留部材４２、又は流出管接続部材４６のどちらか一方を容量の異なるものに交換することによっても、貯留空間５０の容量を変えることができる。したがって、貯留槽４０全体を交換する場合と比べて、貯留空間５０の容量を容易に調整することができる。
【００４４】
（第３実施形態）
次に、本発明の第３実施形態に係る貯留槽６０について、図３を用いて説明する。なお、第１実施形態、第２実施形態と同様の構成については、同じ符号を付して説明を省略する。
【００４５】
図３に示すように、貯留槽６０は、第１実施形態の貯留槽１０と同様に、複数の貯留部材６２と、貯留部材６２の一端にそれぞれ連結された流入管接続部材６４と、貯留部材６２の他端にそれぞれ連結された流出管接続部材６６と、を備えている。また、貯留部材６２、流入管接続部材６４、及び流出管接続部材６６によって、貯留空間７０が形成されている。
【００４６】
第３実施形態の貯留槽６０では、貯留部材６２は、塩化ビニル樹脂から成る断面が円形状の管状部材であり、外周面の一部に蛇腹状部分６２Ａが形成されていることによって長手方向に伸縮可能とされている。なお、貯留部材６２の長手方向一端には流入管接続部材６４が嵌合されて連結されており、他端には流出管接続部材６６が嵌合されて連結されている。
【００４７】
本実施形態によると、貯留部材６２の外周面に蛇腹状部分６２Ａが形成されていることにより、貯留部材６２が伸縮可能とされている。これにより、貯留部材６２を伸縮させて貯留部材６２の長さを変えることで、流入管接続部材６４と流出管接続部材６６の相対位置を変え、貯留空間７０の容量を変えることができる。
【００４８】
（その他の実施形態）
なお、本発明について実施形態の一例を説明したが、本発明はかかる実施形態に限定されるものではなく、本発明の範囲内にて他の種々の実施形態が可能である。
【００４９】
例えば、上記実施形態では、同一形状の３本の貯留部材１２、４２、６２が並列配置されていた。しかし、貯留部材１２、４２、６２の数及び形状は、必要となる貯留空間２０、５０、７０の容量等によって適宜定めればよく、異なる長さの貯留部材１２、４２、６２がそれぞれ並列配置されていてもよい。
【００５０】
また、第２実施形態では、流入管接続部材４４と貯留部材４２とが一体形成され、流出管接続部材４６は貯留部材４２と別体とされていた。しかし、流出管接続部材４６と貯留部材４２とが一体形成され、流入管接続部材４４が貯留部材４２と別体とされていてもよい。
【００５１】
また、第３実施形態では、外周面に蛇腹状部分６２Ａが形成されていることによって貯留部材６２が伸縮可能とされていたが、貯留部材６２がテレスコピック機構（引き出し機構）を有することによって伸縮可能とされていてもよい。
【００５２】
また、上記実施形態では、連通管２６によって連通孔１８がそれぞれ連通されていたが、連通孔１８同士が直接連通されていてもよい。また、連通管２６に通気口２８が形成されていなくてもよく、その場合、貯留空間２０、５０、７０の空気を隣接する他の貯留空間２０、５０、７０へと逃がす構成とされていてもよい。
【００５３】
また、上記実施形態では、貯留部材１２、４２、６２及び連通管２６が塩化ビニル樹脂で構成されていたが、これに限られず、金属やその他の樹脂等、種々の材質を用いて構成されていてもよい。
【００５４】
さらに、上記第１実施形態〜第３実施形態は、適宜組み合わせることができる。例えば、第１実施形態の貯留部材１２の外周面に、第３実施形態の貯留部材６２のように蛇腹状部分６２Ａを形成してもよい。そうすることにより、貯留部材１２自体を伸縮させるとともに、貯留部材１２に対する流入管接続部材１４及び流出管接続部材１６の連結位置を調整し、流入管接続部材１４と流出管接続部材１６の相対位置を変えることで、貯留空間２０の大きさを変えることができる。
【符号の説明】
【００５５】
１０、４０、６０     貯留槽
１２、４２、６２     貯留部材
１４、４４、６４     流入管接続部材
１６、４６、６６     流出管接続部材
１８                 連通孔
２０、５０、７０     貯留空間
２６                 連通管（連通部材）
【図１】
0006628471.tif 000002
【図２】
0006628471.tif 000003
【図３】
0006628471.tif 000004